Podtech/llm-jp-corpus-v4-ja_patent huggingface dataset:
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
プロセッサ及びメモリを有するコンピュータシステムであって、
前記プロセッサは、
コンピュータプログラムの次の命令を繰り返し取得するように構成された命令サイクル回路と、
前記命令サイクル回路により取得された命令をデコード及び実行するように構成された命令デコーダとを有し、
当該コンピュータシステムは、１又はそれ以上の命令の制御下で複数の算術及び／又は論理演算をサポートし、
前記メモリは、複数のテーブルを格納し、前記複数の算術及び／又は論理演算の各特定の１つは、入力の範囲のための特定の演算の結果の少なくとも部分を表す、前記メモリに格納された少なくとも１つの特定のテーブルによりサポートされ、
前記メモリは、前記コンピュータプログラムを格納し、
前記命令サイクル回路は、プログラムカウンタレジスタを有し、
前記命令サイクル回路は、プログラムカウンタレジスタの制御下で次の命令を取得するように構成され、
前記命令サイクル回路は、前記プログラムカウンタレジスタが次の命令の取得を制御するように前記プログラムカウンタレジスタを前進させるように構成されたプログラムカウンタレジスタアドバンサを有し、
前記命令サイクル回路は、メモリとテーブルベースの加算器とを有し、
前記メモリは、加算テーブルを格納し、
前記命令サイクル回路は、前記テーブルベースの加算器により前記加算テーブルを検索することにより前記プログラムカウンタレジスタを変更するように構成される、コンピュータシステム。
【請求項２】
前記プログラムカウンタレジスタコンテンツのアドレスにより指数化された前記加算テーブルの入力に前記プログラムカウンタレジスタを変更するように構成される、請求項１に記載のコンピュータシステム。
【請求項３】
前記プロセッサは、テーブルトランスレータを有し、前記テーブルトランスレータは、命令レジスタから算術及び／又は論理命令を受信し、対応するテーブル検索演算をもたらすように構成される、請求項１又は請求項２に記載のコンピュータシステム。
【請求項４】
当該コンピュータシステムは、命令ポインタレジスタを含む、前記プロセッサのレジスタの内容を保存するように構成されたスタンバイデバイスを有する、請求項１〜３のうちいずれか一項に記載のコンピュータシステム。
【請求項５】
当該コンピュータシステムは、基数アドレス及び指数からテーブルにおける入力のアドレスを計算するためのアドレス計算ユニットを有し、
前記アドレス計算ユニットは、前記基数アドレス及び前記指数を連結する、請求項１〜４のうちいずれか一項に記載のコンピュータシステム。
【請求項６】
算術及び／又は論理演算は、
前記算術及び／又は論理演算をサポートする前記テーブルの前記基数アドレスを取り出すこと、
前記算術及び／又は論理演算に対する第１のオペランドから取得された指数を前記基数アドレスに加算すること、及び
前記追加された基数アドレスから結果又は更なるテーブルアドレスを取り出すこと、によりサポートされる、請求項１〜５のうちいずれか一項に記載のコンピュータシステム。
【請求項７】
前記メモリは、命令タイプテーブルを有し、
前記命令タイプテーブルは、算術及び論理関数をサポートするテーブルの基数アドレスを格納する、請求項１〜６のうちいずれか一項に記載のコンピュータシステム。
【請求項８】
前記複数の算術及び／又は論理演算は、前記複数のテーブルにより排他的にサポートされる、請求項１〜７のうちいずれか一項に記載のコンピュータシステム。
【請求項９】
前記コンピュータプロセッサは、少なくとも２つのレジスタを有し、
当該コンピュータシステムは、少なくとも、前記２つのレジスタの内容を加算するための加算オペレーションと、前記２つのレジスタの内容をビット単位でＡＮＤ演算するためのＡＮＤオペレーションとをサポートし、
前記メモリは、加算テーブル及びＡＮＤテーブルを含む、請求項１〜８のうちいずれか一項に記載のコンピュータシステム。
【請求項１０】
当該コンピュータシステムは、前記プロセッサの内部バスから第１及び第２のオペランドを受信し、前記第１及び第２のオペランドから計算された内部バスに対する出力を生成する組み合わせ論理回路を含まない、請求項１〜９のうちいずれか一項に記載のコンピュータシステム。
【請求項１１】
前記命令デコーダは、
条件付きの値に対応するテーブルにおける位置にあるテーブルからアドレスを表すデータ項目を取り出すこと、及び
アドレスを命令ポインタに書き込むことにより、前記条件付きの値に対して条件付きでジャンプするように構成される、請求項１〜１０のうちいずれか一項に記載のコンピュータシステム。
【請求項１２】
請求項１〜１１のうちいずれか一項に記載のコンピュータシステムにおける、コンピュータプロセッサ。
【請求項１３】
請求項１〜１１のうちいずれか一項に記載のコンピュータシステムのための第１のコンピュータ言語においてコンピュータプログラムをコンパイルするように構成される、コンパイラ。
【請求項１４】
テーブル検索演算において任意の算術又は論理演算をコンパイルするように構成される、請求項１３に記載のコンパイラ。
【請求項１５】
入力値の範囲のための算術又は論理演算の結果を格納するルックアップテーブルをコンパイルするように構成される、請求項１３に記載のコンパイラ。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
組織の対象治療領域の近位領域に配置するための遠位端と、
前記遠位端にある出力ポートと、
前記出力ポートから前記対象治療組織領域へ出力される光エネルギーを生成するエネルギー源と、
前記対象治療組織領域の温度を、一定時間に、損傷温度より低い温度であって、前記対象治療組織領域において熱ショックタンパク質（ＨＳＰｓ）の発現を誘発する温度まで上昇させるために、前記対象治療組織領域での前記光エネルギーを制御する制御装置と、を備える皮膚科医療装置。
【請求項２】
前記ＨＳＰが、前記対象治療組織領域におけるコラーゲン合成を刺激する、請求項１に記載の皮膚科医療装置。
【請求項３】
前記エネルギー源と前記制御装置とを被包する筐体をさらに備える、請求項１に記載の皮膚科医療装置。
【請求項４】
前記筐体は、延伸方向に延びる略円柱形状を有する、請求項３に記載の皮膚科医療装置。
【請求項５】
前記筐体は、前記遠位端が前記筐体の本体に対して垂直になるように構成され配置され、前記光エネルギーは、前記筐体の前記本体に対して垂直な方向に出力される、請求項３に記載の皮膚科医療装置。
【請求項６】
前記光エネルギーは、前記筐体の前記本体に対して０〜９０°の角度に設定された方向に出力される、請求項５に記載の皮膚科医療装置。
【請求項７】
前記筐体内に配置され、前記光エネルギー源に電気エネルギー源を提供する電源をさらに備える、請求項６に記載の皮膚科医療装置。
【請求項８】
光エネルギー源は、皮膚の光学的性質とその波長とに応じて、前記治療組織領域で非損傷性熱ショック刺激を提供する、波長、エネルギー投与量、または熱ブーストのうち少なくとも１つを有する前記光エネルギーを出力する、請求項１に記載の皮膚科医療装置。
【請求項９】
前記組織は、ヒトまたは動物の皮膚を含む、請求項１に記載の皮膚科医療装置。
【請求項１０】
前記治療組織領域の温度が所定許容範囲にあるかどうかを判断し、前記制御装置に対してレーザー出射と前記エネルギー源への電流の送達とを許可する少なくとも１つの安全センサをさらに備える、請求項１に記載の皮膚科医療装置。
【請求項１１】
前記組織との接触を位置合わせするための安全連動保護装置を含む接触センサをさらに備える、請求項１に記載の皮膚科医療装置。
【請求項１２】
前記光エネルギーの空間的分布を前記遠位端で所望の分布に変更する光空間分布システム（ＯＳＤＳ）をさらに備える、請求項１に記載の皮膚科医療装置。
【請求項１３】
前記対象治療組織領域に送達される治療エネルギーの量は、前記送達されるエネルギーの時間プロファイルを制御することによって制御される、請求項１に記載の皮膚科医療装置。
【請求項１４】
しわまたは組織の襞に起因する光学的損失を減少させるために皮膚伸張機構をさらに含む、請求項１に記載の皮膚科医療装置。
【請求項１５】
前記装置は、処置パルスの終了時に熱ブーストを提供することによって長い熱曝露時間を提供する、請求項１に記載の皮膚科医療装置。
【請求項１６】
前記対象治療組織領域の温度は、少なくとも２℃〜８℃以下だけ上昇される、請求項１に記載の皮膚科医療装置。
【請求項１７】
前記対象治療組織領域における前記皮膚科医療装置から出力されるエネルギーの曝露は、前記損傷温度よりも低い、１つまたは複数の温度で２〜１０秒の間である、請求項１に記載の皮膚科医療装置。
【請求項１８】
前記エネルギー源の時間プロファイルを変更することによって前記対象治療組織の温度時間プロファイルを制御する、請求項１に記載の皮膚科医療装置。
【請求項１９】
治療エネルギー投与量は、前記送達されるエネルギーの前記時間プロファイルを制御することによって制御され、ピーク電力および曝露時間は、所望の医療効果を提供するために変更される、請求項１に記載の皮膚科医療装置。
【手続補正２】
【補正対象書類名】明細書
【補正対象項目名】発明の名称
【補正方法】変更
【補正の内容】
【発明の名称】皮膚科医療装置
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
眼球血管床内の血流を定量的に測定するための方法であって、
血流を定量的に測定する眼球血管床を選択することと、
そこからＯＣＴスペクトルのＭ−Ｂスキャンを取得するために、前記眼球血管床をスキャンすることと、
ＯＣＴスペクトルの前記Ｍ−ＢスキャンをＭ個のスペクトル帯域へと分割することと、
前記Ｍ個のスペクトル帯域から血流の定量的測定値を決定することと、
を含む、
ことを特徴とする方法。
【請求項２】
前記ＯＣＴスペクトルの前記Ｍ−ＢスキャンをＭ個のスペクトル帯域へと分割する前記ステップは、
前記ＯＣＴスペクトルに及ぶ複数の重なりフィルタを作成することと、
前記複数の重なりフィルタで前記ＯＣＴスペクトルをフィルタ処理することと、
を含む、
ことを特徴とする請求項１に記載の方法。
【請求項３】
前記Ｍ個のスペクトル帯域から血流の定量的測定値を決定する前記ステップは、
前記Ｍ個のスペクトル帯域に対する複数の相関除去画像を作成することと、
流体画像を作成するために、前記Ｍ個のスペクトル帯域に対する前記複数の相関除去画像を組み合わせることと、
を含む、
ことを特徴とする請求項１に記載の方法。
【請求項４】
前記Ｍ個のスペクトル帯域に対する複数の相関除去画像を作成する前記ステップは、
各スペクトル帯域に対して振幅情報を決定することと、
各スペクトル帯域に対して隣接する振幅フレーム間の相関除去を計算することと、
を含む、
ことを特徴とする請求項３に記載の方法。
【請求項５】
バックグラウンドノイズを除去するステップをさらに含む、
ことを特徴とする請求項４に記載の方法。
【請求項６】
流体画像を作成するために、前記Ｍ個のスペクトル帯域に対する前記複数の相関除去画像を組み合わせる前記ステップは、
各スペクトル帯域に対して平均相関除去画像を作成するために、各スペクトル帯域に対して前記複数の相関除去画像を平均化することと、
前記Ｍ個のスペクトル帯域から前記平均化された複数の相関除去画像を平均化することと、
を含む、
ことを特徴とする請求項３に記載の方法。
【請求項７】
過度の運動ノイズを有する各スペクトル帯域に対して相関除去画像を排除するステップをさらに含む、
ことを特徴とする請求項６に記載の方法。
【請求項８】
眼性疾患を有することが疑われる被験者において、前記眼性疾患の存在を診断する方法であって、
血流を定量的に測定する前記被験者内の特定の眼球血管床を選択することと、
そこからＯＣＴスペクトルのＭ−Ｂスキャンを取得するために、前記眼球血管床をスキャンすることと、
ＯＣＴスペクトルの前記Ｍ−ＢスキャンをＭ個のスペクトル帯域へと分割することと、
前記Ｍ個のスペクトル帯域から血流の定量的測定値を決定することと、
健常被験者から取得されたものと、血流の前記定量的測定値を比較することと、
を含み、前記健常被験者から取得されたものと比較した、前記眼性疾患を有すると疑われる前記患者の血流における減少は、前記疾患の存在を示す、
ことを特徴とする方法。
【請求項９】
眼球血管床内の血流を定量的に測定するためのシステムであって、
光干渉断層撮影装置と、
前記装置に結合され、前記眼球血管床からＯＣＴスペクトルのＭ−Ｂスキャンを前記装置に取得させ、Ｍ個のスペクトル帯域へとＯＣＴスペクトルの前記Ｍ−Ｂスキャンを分割させ、前記Ｍ個のスペクトル帯域から血流の定量的測定値を決定させるように適応された一つ以上のプロセッサと、
を含む、
ことを特徴とするシステム。
【請求項１０】
Ｍ個のスペクトル帯域へとＯＣＴスペクトルの前記Ｍ−Ｂスキャンを前記装置に分割させるように適応された前記一つ以上のプロセッサは、前記ＯＣＴスペクトルに及ぶ重なりフィルタを作成させて、前記重なりフィルタで前記ＯＣＴスペクトルを前記装置にフィルタ処理させるように適応されることをさらに含む、
ことを特徴とする請求項９に記載のシステム。
【請求項１１】
前記Ｍ個のスペクトル帯域から血流の定量的測定値を前記装置に決定させるように適応された前記一つ以上のプロセッサは、血流の定量的測定値を決定するために、前記Ｍ個のスペクトル帯域に対して複数の相関除去画像を前記装置に作成させて、前記Ｍ個のスペクトル帯域に対して、前記複数の相関除去画像を組み合わせるように適応されることをさらに含む、
ことを特徴とする請求項９に記載のシステム。
【請求項１２】
Ｍ個のスペクトル帯域に対して複数の相関除去画像を前記装置に作成させるように適応された前記一つ以上のプロセッサは、各スペクトル帯域に対して振幅情報を前記装置に決定させて、各スペクトル帯域に対して隣接する振幅フレーム間で相関除去を計算させるように適応されることをさらに含む、
ことを特徴とする請求項１１に記載のシステム。
【請求項１３】
血流の定量的測定値を決定するために、前記Ｍ個のスペクトル帯域に対する前記複数の相関除去画像を前記装置が組み合わせるように適応された前記一つ以上のプロセッサは、各スペクトル帯域に対して相関除去画像を作成して平均化し、前記Ｍ個のスペクトル帯域から前記平均化された複数の相関除去画像を平均化するために、各スペクトル帯域に対して、前記複数の相関除去画像を前記装置に平均化させるように適応されることをさらに含む、
ことを特徴とする請求項１１に記載のシステム。
【手続補正書】
【提出日】平成28年9月2日(2016.9.2)
【手続補正１】
【補正対象書類名】明細書
【補正対象項目名】発明の名称
【補正方法】変更
【補正の内容】
【発明の名称】ガイドカテーテルコントロール用の装置
【手続補正２】
【補正対象書類名】特許請求の範囲
【補正対象項目名】全文
【補正方法】変更
【補正の内容】
【特許請求の範囲】
【請求項１】
装置であって、
バルブ本体を含む血流停止バルブを含み、
前記バルブ本体は、近位ポート、遠位ポート、及び前記近位ポートと前記遠位ポートとの間に延びる管腔を有する第１脚を備え、
前記管腔には、前記近位ポートに隣接して、介入デバイスが貫通するのを許容する少なくとも一つのバルブが配置され、
前記バルブ本体は、前記第１脚に対して一定角度で延びて前記第１脚と流体連通する第２脚を含み、
前記第１脚には、前記遠位ポートに隣接して、ガイドカテーテルが固定されるように構成された回転雄ルアロックコネクタが回転可能に接続され、
前記回転雄ルアロックコネクタは、駆動機構によって回転可能に駆動されるように構成された被駆動部材を有し、
前記ガイドカテーテルは、前記回転雄ルアロックコネクタに回転可能に結合される装置。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
患者の関心領域をコンピュータ断層撮影するための装置であって、
回転軸を中心に回転するよう作動可能であり且つ、Ｘ線源および複数のフレーム画像を得るための検出器を対向端部において支持する回転可能架台であって、前記Ｘ線源は、放射ビームを、前記関心領域を通して前記検出器に向かって誘導するよう配置された、回転可能架台と、
前記回転可能架台の回転を制御し、且つ前記回転軸を中心とする第１角度位置および少なくとも１つの第２角度位置において画像データを取得する、制御ロジックプロセッサと、
前記患者を前記回転軸に対して位置決めするための患者位置決め装置と、
前記Ｘ線源の前方に配置され、且つ、前記第１角度位置においては前記放射ビームを前記関心領域に向かって集中させるよう、前記第２角度位置においては前記関心領域に向かう前記放射ビームの集中を調節するよう、前記制御ロジックプロセッサにより制御され、前記関心領域は前記回転軸から離間した、コリメータと
を含む、装置。
【請求項２】
患者をコンピュータ断層撮影するための方法であって、
回転軸を中心に回転するよう作動可能であり且つコリメータを有するＸ線源および複数のフレーム画像を得るためのＸ線検出器を対向端部において支持する回転可能架台であって、前記Ｘ線源は、放射ビームを、前記患者を通って前記検出器に向かって誘導するよう配置された、回転可能架台を提供することと、
前記回転軸から離間する中心を有する、前記患者の関心領域にアクセスすることと、
前記架台を第１角度位置に位置決めすることと、
前記関心領域の前記中心の周りに放射ビームを集中させるために、前記第１角度位置における前記コリメータの開口部の中心の位置を計算することと、
前記第１角度位置における画像データを取得することと、
前記架台を第２角度位置に回転させることと、
前記関心領域の前記中心の周りに放射ビームを集中させるために、前記第２角度位置における前記コリメータの前記開口部の前記中心の位置を変化させることと、
前記第２角度位置における画像データを取得することと、
前記第１角度位置および前記第２角度位置において取得された少なくとも１つの画像データにしたがって体積画像を形成することと、
前記体積画像を表示、伝達、または格納することと
を含む、方法。
【請求項３】
患者をコンピュータ断層撮影するための装置であって、
回転軸を中心に回転するよう作動可能であり且つＸ線源および検出器を対向端部において支持する回転可能架台であって、前記Ｘ線源は、前記回転軸を中心とする前記架台の複数の角度位置のそれぞれにおいて、放射ビームを、前記患者を通って前記検出器に向かって誘導するよう配置され、前記検出器は、前記入射放射ビームにしたがって前記画像データを形成するための軌跡に沿った複数の位置に対する軌跡に沿って位置決めされる、回転可能架台と、
前記患者を前記回転軸に対して位置決めするための患者位置決め装置と、
前記回転可能架台の回転を制御し、且つ前記回転軸を中心とする前記複数の角度位置のそれぞれにおいて前記患者の画像データを取得する、制御ロジックプロセッサと、
前記Ｘ線源の前方に配置され、且つ前記放射ビームを、前記複数の角度位置のそれぞれにおいて、前記回転軸から離間された関心領域上に集中させるよう前記制御ロジックプロセッサにより制御される、コリメータと
を含む、装置。
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
複数の侵襲デバイスの挿入を視覚的にガイドする超音波イメージングシステムであって、
ボリュメトリック領域のそれぞれ異なる画像面をイメージングすることが可能な３Ｄ超音波イメージングプローブと、
予め決められた向きで前記３Ｄ超音波イメージングプローブに取り付けられるように形成されたニードルガイドであって、それぞれ異なるニードル挿入面を通って前記ボリュメトリック領域に挿入されるように複数のニードルをガイドするための複数のニードル挿入位置を有するニードルガイドと、
前記３Ｄ超音波イメージングプローブに結合され、それぞれ異なるニードル挿入面にアラインされる画像面から同時に生成される複数の２Ｄ画像を生成するように前記３Ｄ超音波イメージングプローブを制御する超音波システムと、
を有する超音波イメージングシステム。
【請求項２】
前記超音波システムは、それぞれ異なるニードル挿入面の、複数の別個に符号化される２Ｄ画像を生成するディスプレイサブシステムを含む、請求項１に記載の超音波イメージングシステム。
【請求項３】
別個に符号化される２Ｄ画像は、別個にカラー符号化される、請求項２に記載の超音波イメージングシステム。
【請求項４】
別個に符号化される２Ｄ画像は、別個の画像において別個にカラー符号化されたニードルを示す、請求項３に記載の超音波イメージングシステム。
【請求項５】
別個に符号化される２Ｄ画像は、別個に色付けされた境界を有する、請求項３に記載の超音波イメージングシステム。
【請求項６】
前記超音波システムは、３Ｄボリュメトリック画像を生成するように前記３Ｄ超音波イメージングプローブを制御し、前記超音波システムは、複数の２Ｄ画像及び３Ｄボリュメトリック画像を同時に生成するディスプレイサブシステムを有する、請求項１に記載の超音波イメージングシステム。
【請求項７】
前記３Ｄボリュメトリック画像は、別個の特徴的な色で前記複数のニードルを示す、請求項６に記載の超音波イメージングシステム。
【請求項８】
前記複数の２Ｄ画像の各々が別個にカラー符号化され、前記３Ｄボリュメトリック画像が、前記２Ｄ画像のカラー符号化に対応する別個の色で前記複数のニードルを示す、請求項７に記載の超音波イメージングシステム。
【請求項９】
前記ニードル挿入位置は、取り付けられるイメージングプローブ周囲に位置する前記ニードルガイドの複数のニードル挿入孔又は溝を含む、請求項１に記載の超音波イメージングシステム。
【請求項１０】
前記ニードルガイドが更に、前記複数のニードル挿入孔又は溝の各々に関連付けられるニードル挿入検出器を有し、前記ニードル挿入検出器は、ニードルの挿入を検出し、挿入されたニードルの挿入面を識別する、請求項９に記載の超音波イメージングシステム。
【請求項１１】
前記ニードル挿入検出器が光学検出器を含む、請求項１０に記載の超音波イメージングシステム。
【請求項１２】
前記ニードル挿入検出器が抵抗性検出器を含む、請求項１０に記載の超音波イメージングシステム。
【請求項１３】
前記ニードル挿入検出器は、前記超音波システムに、向きが異なる複数の挿入面のアイデンティティを通信し、前記超音波システムは、前記向きが異なる複数の挿入面のアイデンティティに応じて、前記ボリュメトリック領域において識別される前記向きが異なる挿入面のみをスキャンするように前記３Ｄ超音波イメージングプローブを制御する、請求項１０に記載の超音波イメージングシステム。
【請求項１４】
前記複数のニードルが複数の高周波アブレーションニードルを含む、請求項１に記載の超音波イメージングシステム。
【請求項１５】
前記複数のニードルが複数の生検ニードルを含む、請求項１に記載の超音波イメージングシステム。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
ブランクから形成された製品トレイであって、トレイは製品プッシャーを含み、製品プッシャーは、弾性的に伸長可能な布地または材料の長さから形成され、トレイ内に含まれた複数の製品の背後および複数のサイドを包み込むように配置されて、トレイ内に含まれた複数の製品の後方表面に弾力性のバイアス力を印加し、布地または材料は、ブランクの２つの表面における製品トレイの２つの対向するサイドへのその複数の端部においてかまたはそれらに向けてブランクに取り付けられ、トレイ中では２つの表面は外側に面しており、単一の布地または材料が取り付けられた製品トレイの２つのパーツは取り付けのサイトであり、それらはこれらのサイドに渡って伸びている複数の隠しフラップによって隠されており、隠しフラップはまたそれからトレイが形成されているところのブランクの一部である、トレイ。
【請求項２】
単一の布地または材料が、弾力性のあるテープの単一のタイプの複数の長さを含む、請求項１のトレイ。
【請求項３】
布地または材料が弾力性のあるテープであり、弾力性のあるテープが、ゴム、シリコンまたは弾性のストリップ、またはシャーリングエラスティックまたはクリアエラスティックである、請求項１または２のトレイ。
【請求項４】
単一の布地または材料が、トレイの前部付近に形成された複数の折り畳まれたフラップへのその複数の端部においてかまたはそれらに向けて取り付けられている、請求項１−３のいずれか１つのトレイ。
【請求項５】
抑制部材を含み、単一の布地または材料が、前記抑制部材によって抑制されている、請求項１−４のいずれか１つのトレイ。
【請求項６】
抑制部材が、クランプである、請求項５のトレイ。
【請求項７】
クランプが、プッシャーテープの上に折り畳まれたタブであり、タブの最上部分が、ミシン目のラインによって境界付けられたトレイの壁におけるゾーンに糊付けされている、請求項６のトレイ。
【請求項８】
トレイが、１つ以上の波形の材料シートから形成されている、請求項１−７のいずれか１つのトレイ。
【請求項９】
トレイが、蓋または上部を追加的に含む、請求項１−８のいずれか１つのトレイ。
【請求項１０】
蓋または上部は、トレイとは別の部品である、請求項９のトレイ。
【請求項１１】
蓋または上部は、トレイと一体的ではあるが、それからの単純な取り外し、または部分的な取り外しのために、それに対してミシン目を入れてある、請求項９のトレイ。
【請求項１２】
製品プッシャーを有するトレイを組み立てる方法であって、
トレイの少なくとも一部を形成するようにブランクを折り畳むことと、
その面に跨って弾性的に伸長可能な布地または材料の長さを供給することと、
弾性的に伸長可能な布地または材料の長さが伸長された状態において複数の製品の周りを部分的に包み込むように、トレイ中に複数の製品を挿入することと、
を含み、
トレイは、請求項１−１１のいずれか１つによるものである、
方法。
【請求項１３】
製品プッシャーを有するトレイを組み立てる方法であって、
トレイの少なくとも一部を形成するためのブランクを提供することと、
その面に跨って弾性的に伸長可能な布地または材料の長さを供給することと、
トレイの少なくとも一部を形成するようにブランクを折り畳むことと、
弾性的に伸長可能な布地または材料の長さが伸長された状態において複数の製品の周りを部分的に包み込むように、トレイ中に複数の製品を挿入することと、
を含み、
トレイは、請求項１−１１のいずれか１つによるものである、
方法。
【請求項１４】
弾性的に伸長可能な布地または材料の長さが、転送デバイスによってトレイの前部に跨って供給される、請求項１２または１３の方法。
【請求項１５】
複数の製品を挿入することに先立って、トレイの後部と複数のサイド壁の周りに向かって弾性的に伸長可能な布地または材料の長さを押圧することの追加のステップを含む、請求項１２−１４のいずれか１つの方法。
【請求項１６】
複数の製品は、トレイにサイド装填される、請求項１２−１５のいずれか１つの方法。
【請求項１７】
弾性的に伸長可能な布地または材料の長さが、ロールから引き出される、請求項１２−１６のいずれか１つの方法。
【請求項１８】
弾性的に伸長可能な布地または材料の長さが取り付けられたところのブランクの２つの表面が、前記取り付けの時点で共通の平面に横たわる、請求項１２−１７のいずれか１つの方法。
【請求項１９】
請求項１−１１のいずれか１つによるトレイを形成するためのブランクであって、ブランクがそれに適用された弾性的に伸長可能な布地または材料の長さを有する、ブランク。
【請求項２０】
請求項１９による複数のブランクのスタック。
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
器具ハウジングと、
細長いネック及びノズルのアセンブリと、
液体用リザーバと、
前記ネック及びノズルのアセンブリへ液体の離散的な噴出を送るためのポンプアセンブリとを有し、
前記ポンプアセンブリは、ポンプハウジングと、前記ポンプアセンブリの前方端にある液体入口／出口アセンブリと、中央開口を有する円筒状のプランジャスリーブと、前記プランジャスリーブの前記中央開口内に配置可能な、前方端に流体密な封止体を含む、中央部を有するプランジャアセンブリと、前記プランジャアセンブリの前方端と前記ポンプハウジングの後方端との間に配置される圧縮可能なバネと、前記プランジャアセンブリを後方へ動かし、次いで解放するための、モータ駆動のアクチュエータによって制御される駆動メカニズムと、を含み、
前記液体入口／出口アセンブリは、前記プランジャスリーブの前記中央開口と流体連通する、一方向液体入口弁と一方向液体出口弁とを含み、したがって動作中、前記駆動メカニズムは、当該駆動メカニズムが予め選択された位置に達するまで、前記プランジャアセンブリを後方へ動かし、液体を前記プランジャスリーブ内へと引き込み、次いで前記プランジャアセンブリを解放し、液体を前記液体入口／出口アセンブリから前記ネック及びノズルのアセンブリへ押し出し、液体の単発の噴出を規定する、口内ケア器具。
【請求項２】
前記駆動メカニズムは、ピニオンギア上に歯のない部分を有するラックアンドピニオンアセンブリを含む、請求項１に記載の口内ケア器具。
【請求項３】
液体入口及び液体出口に流体封止体を含み、前記液体入口／出口アセンブリは、前記プランジャスリーブの前記中央開口に対し流体密な関係にある、請求項１に記載の口内ケア器具。
【請求項４】
液体流出の圧力は、１０ｐｓｉ〜２００ｐｓｉの範囲内である、請求項１に記載の口内ケア器具。
【請求項５】
前記圧力は、６バール〜１０バールの範囲内である、請求項４に記載の口内ケア器具。
【請求項６】
毎秒１個〜２個の噴出を送る、請求項１に記載の口内ケア器具。
【請求項７】
前記バネは、少なくとも１秒を超えて圧縮されるが、１０ミリ秒〜２０ミリ秒で完全に解放する、請求項１に記載の口内ケア器具。
【請求項８】
液体入口開口及び液体出口開口は、１／２ｍｍ〜５ｍｍの範囲内である、請求項１に記載の口内ケア器具。
【請求項９】
各噴出における液体の量は、０．２ｍｌ〜５ｍｌの範囲内である、請求項１に記載の口内ケア器具。
【請求項１０】
プランジャは、３０ｍｍ〜６０ｍｍの範囲内で直線運動する、請求項１に記載の口内ケア器具。
【請求項１１】
器具ハウジングと、
細長いネック及びノズルのアセンブリと、
液体用リザーバと、
前記ネック及びノズルのアセンブリへ液体の離散的な噴出を送るためのポンプアセンブリとを有し、
前記ポンプアセンブリは、ポンプハウジングと、前記ポンプアセンブリの前方端にある液体入口／出口アセンブリと、中央開口を有する円筒状のプランジャスリーブと、前記プランジャスリーブの前記中央開口内に配置可能な、前方端に流体密な封止体を含む、中央部を有するプランジャアセンブリと、前記プランジャアセンブリの前方端と前記ポンプハウジングの後方端との間に配置される圧縮可能なバネと、歯のない部分を有するピニオンギアを有するラックアンドピニオンアセンブリを含む駆動メカニズムであって、前記プランジャアセンブリを後方へ動かし、次いで解放するための、モータ駆動のアクチュエータによって制御される当該駆動メカニズムと、を含み、
前記液体入口／出口アセンブリは、前記プランジャスリーブの前記中央開口と流体連通する、一方向液体入口弁と一方向液体出口弁とを含み、したがって動作中、前記駆動メカニズムは、当該駆動メカニズムが予め選択された位置に達するまで、前記プランジャアセンブリを後方へ動かし、液体を前記プランジャスリーブ内へと引き込み、次いで前記プランジャアセンブリを解放し、液体を前記液体入口／出口アセンブリから前記ネック及びノズルのアセンブリへ押し出し、液体の単発の噴出を規定する、口内ケア器具。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
ノズル装置であって、
入口と、
出口と、
前記入口と前記出口との間に配置された、粒子用のフィルタであるとともに、少なくとも１つの開口を有したスクリーンを備えている、フィルタと、
容器と、
を具備し、
前記ノズル装置が、前記フィルタを通過し得ない大きな粒子のための、前記フィルタと前記容器との間に配置された、第１流通経路と、前記フィルタを通過し得る小さな粒子のための前記出口に向けての第２流通経路と、を規定し、
前記容器が、前記第１流通経路の下流側に設けられ、よって、前記第１流通経路が、前記容器において終端しており、使用時には、粒状の破片が、前記容器内に集積し、
前記ノズル装置のうちの、前記入口と前記スクリーンとの間に位置した部分が、入口側流通経路とされ、
前記入口側流通経路と、前記第１流通経路とが、同一直線上に位置していることを特徴とするノズル装置。
【請求項２】
請求項１記載のノズル装置において、
前記容器が、着脱可能部分であることを特徴とするノズル装置。
【請求項３】
請求項２記載のノズル装置において、
前記着脱可能部分が、螺着と、スナップフィット連結と、スプリングと、クリップと、ボルトおよびネジと、の中の１つまたは複数のものを介して、着脱可能とされていることを特徴とするノズル装置。
【請求項４】
請求項２または３記載のノズル装置において、
前記着脱可能部分が、前記フィルタに対して連結されているとともに、前記フィルタから取り外し可能とされていることを特徴とするノズル装置。
【請求項５】
請求項２記載のノズル装置において、
前記容器と前記フィルタとが、螺着によって連結されていることを特徴とするノズル装置。
【請求項６】
請求項１〜５のいずれか１項に記載のノズル装置において、
前記入口の横断サイズが、前記第１流通経路の横断サイズと比較して、少なくとも同じサイズとされている、あるいは、より大きなサイズとされていることを特徴とするノズル装置。
【請求項７】
請求項１〜６のいずれか１項に記載のノズル装置において、
使用時には、前記出口からの流体が、前記容器の外表面上に案内されることを特徴とするノズル装置。
【請求項８】
請求項１〜７のいずれか１項に記載のノズル装置において、
前記容器の外表面が、一連をなす複数のスロットを有していることを特徴とするノズル装置。
【請求項９】
請求項１〜８のいずれか１項に記載のノズル装置において、
前記スクリーンの前記少なくとも１つの開口が、直線形状とされていることを特徴とするノズル装置。
【請求項１０】
請求項１〜９のいずれか１項に記載のノズル装置において、
前記スクリーンが、内部に通路を有したチューブ状のスクリーンとされ、
前記少なくとも１つの開口が、前記チューブ状スクリーンの表面上に位置していることを特徴とするノズル装置。
【請求項１１】
請求項１〜１０のいずれか１項に記載のノズル装置において、
前記スクリーンの前記少なくとも１つの開口のサイズが、前記出口のサイズと比較して、同じであるかあるいはより小さなものとされていることを特徴とするノズル装置。
【請求項１２】
請求項１１記載のノズル装置において、
前記スクリーンには、複数の開口が設けられ、
前記スクリーンの前記開口の各々のサイズが、前記出口のサイズと比較して、同じであるかあるいはより小さなものとされていることを特徴とするノズル装置。
【請求項１３】
請求項１〜１２のいずれか１項に記載のノズル装置において、
前記ノズル装置のうちの、前記入口と前記フィルタとの間に位置した部分が、前記ノズル装置のうちの、前記フィルタと前記出口との間に位置した部分と比較して、前記ノズル装置の中心寄りに位置していることを特徴とするノズル装置。
【請求項１４】
請求項１〜１３のいずれか１項に記載のノズル装置において、
前記出口が、前記ノズル装置の長手方向軸線に対して１０〜５０°という角度で傾斜したチャネルであることを特徴とするノズル装置。
【請求項１５】
請求項１〜１４のいずれか１項に記載のノズル装置において、
外側ボディが設けられており、
この外側ボディが、前記フィルタと前記出口との間に、第３流通経路を形成することを特徴とするノズル装置。
【請求項１６】
請求項１５記載のノズル装置において、
前記外側ボディが、傾斜付きのエッジを有したチューブとされ、
前記エッジが、前記出口の一部を形成していることを特徴とするノズル装置。
【請求項１７】
請求項１〜１６のいずれか１項に記載のノズル装置において、
入口スクリーンを具備し、
この入口スクリーンが、所定サイズの粒子を通過させ得ないサイズとされた少なくとも１つの第１開口と、前記所定サイズの粒子を通過させ得るサイズとされた第２開口と、を備えていることを特徴とするノズル装置。
【請求項１８】
請求項１〜１７のいずれか１項に記載されたノズル装置の使用であって、
オイルベースの流体に関して使用することを特徴とする使用。
【請求項１９】
配管系の完全性を観測するための方法であって、
請求項１〜１８のいずれか１項に記載されたノズル装置を使用し、
前記容器を定期的に取り外して、集積された破片を除去し、
前記配管系から採取された前記破片の重量を測定し、
前記破片の前記重量を使用して、前記配管系の腐食速度を計算し、前記配管系の完全性を評価する、
ことを特徴とする方法。
【請求項２０】
請求項１９記載の方法において、
前記破片の重量を、１年に少なくとも１回は定期的に測定することを特徴とする方法。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
電力システムを含む持ち手部と、
遠位端部にブリッスル領域を備えるブラシ部材を含むブラシヘッドアセンブリと、
前記ブラシヘッドアセンブリの運動を作り出すため前記電力システムの駆動信号に反応する駆動トレインアセンブリと、
前記ブラシヘッドアセンブリ運動に合わせて動くように位置付けられた、磁場を発生させる磁石と、
前記磁場内にあるホール効果センサであって、当該ホール効果センサは、ブリッスル領域の圧力が変化するときの前記電力システムの前記駆動信号と前記ブラシヘッドアセンブリの運動との間の位相の変化を検出し、前記駆動信号の位相に対する当該ホール効果センサの出力信号の位相シフトで応答する当該ホール効果センサと、
ブラッシング動作の間、前記ブリッスル領域にかかる圧力によって、前記ホール効果センサの出力の前記位相シフトを決定し、位相シフトの値を前記圧力に関係付ける電動歯ブラシに記憶された情報に従って、前記圧力を示すフィードバック信号を作り出すマイクロプロセッサ・コントロールと
を有する、電動歯ブラシ。
【請求項２】
前記マイクロプロセッサ・コントロールは、前記ホール効果センサの出力信号が、無負荷の条件の下で、前記駆動信号と位相が一致するように較正される、請求項１に記載の電動歯ブラシ。
【請求項３】
前記位相シフトを決定するためのゼロ交差回路を含む、請求項１に記載の電動歯ブラシ。
【請求項４】
前記マイクロプロセッサ・コントロールは、複数のサイクルに亘る前記ホール効果センサの信号出力の平均値を求め、前記ホール効果センサの信号出力からのノイズをフィルタリングする機能を含む、請求項１に記載の電動歯ブラシ。
【請求項５】
前記マイクロプロセッサ・コントロールは、前記ホール効果センサの前記出力を予め決められた第１閾値に関連付けるために、及び前記ブラシ部材の圧力が前記第１閾値を超えた場合に、フィードバック情報をユーザに提供するために、前記記憶された情報を用いる、請求項１に記載の電動歯ブラシ。
【請求項６】
前記第１閾値は、最大圧力値を表す、請求項５に記載の電動歯ブラシ。
【請求項７】
最小圧力値を表す予め決められた第２閾値を含む、請求項５に記載の電動歯ブラシ。
【請求項８】
前記ホール効果センサからの出力信号は連続し、前記マイクロプロセッサ・コントロールからのフィードバック信号も連続し、前記ブラシ部材の圧力の連続的な表示を表す、請求項１に記載の電動歯ブラシ。
【請求項９】
フィードバック情報は、ユーザによって認識可能な形式である、請求項１に記載の電動歯ブラシ。
【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
患者の血管を評価するシステムであって、
血管造影イメージングシステムと通信する処理システムを有し、前記処理システムが、
第１のビュー平面を使用して、前記血管造影イメージングシステムから、近位病変端から遠位病変端まで延在する病変長をもつ病変を有する血管の血管造影像の第１の組を取得し、
少なくとも１つの第１の病変直径、前記病変に近位の第１の近位血管直径、及び前記病変から遠位の第１の遠位血管直径を有する解剖学的血管測定値の第１の組を取得し、
前記少なくとも１つの第１の病変直径を利用して第１のフロー値を計算し、
近位端から遠位端まで延在する仮想血管を生成し、
前記仮想血管について第２のフロー値を計算し、
前記第２のフロー値で前記第１のフロー値を除算することにより、前記血管の第１の冠血流予備量比を計算するよう構成される、
システム。
【請求項２】
前記解剖学的血管測定値の第１の組が、前記病変長に沿った複数の第１の病変直径を有する、請求項１に記載のシステム。
【請求項３】
前記処理システムが更に、前記血管造影像の第１の組から、前記解剖学的血管測定値の第１の組を取得するよう構成される、請求項１に記載のシステム。
【請求項４】
前記処理システムが、圧力センシング装置と通信し、
前記処理システムが更に、前記圧力センシング装置から、前記血管内の前記病変の近位の圧力を取得するよう構成される、請求項１に記載のシステム。
【請求項５】
前記病変の近位の前記圧力が大動脈圧である、請求項４に記載のシステム。
【請求項６】
前記処理システムが、前記病変の近位の前記取得された圧力を利用して前記第１のフロー値を計算するよう構成される、請求項４に記載のシステム。
【請求項７】
前記処理システムが、前記病変の近位の前記取得された圧力を利用して、前記第２のフロー値を計算するよう構成される、請求項４に記載のシステム。
【請求項８】
前記処理システムが、前記血管を通る造影剤のフローの少なくとも１つの特性を利用して前記第１のフロー値を計算するよう構成される、請求項１に記載のシステム。
【請求項９】
前記少なくとも１つの特性が、前記造影剤のボリュームが前記血管を通って流れるための経過時間量を含む、請求項８に記載のシステム。
【請求項１０】
前記少なくとも１つの特性が、前記造影剤が血管を通って流れる際の、前記造影剤の変化する濃度を反映する視覚的変化を含む、請求項８に記載のシステム。  
【請求項１１】
前記処理システムが更に、
前記第１のビュー平面と異なる第２のビュー平面を使用して、前記血管造影イメージングシステムから、前記血管の血管造影像の第２の組を取得し、
前記血管造影像の第２の組から、第２の病変直径、前記病変に近位の第２の近位血管直径及び前記病変から遠位の第２の遠位血管直径を有する解剖学的血管測定値の第２の組を取得するよう構成される、
請求項１に記載のシステム。
【請求項１２】
前記処理システムが更に、
前記第１のビュー平面と異なる第２のビュー平面を使用して、前記血管造影イメージングシステムから、前記血管の血管造影像の第２の組を取得し、
前記血管造影像の第２の組から、前記第２の病変直径、前記病変に近位の第２の近位血管直径及び前記病変から遠位の第２の遠位血管直径を有する解剖学的血管測定値の第２の組を取得するよう構成される、請求項１に記載のシステム。
【請求項１３】
前記解剖学的血管測定値の第２の組が、前記病変長に沿った複数の第２の病変直径を有する、請求項１２に記載のシステム。
【請求項１４】
前記処理システムが更に、前記血管造影像の第１の組及び前記血管造影像の第２の組を利用して前記血管の３次元表現を生成するよう構成される、請求項１１に記載のシステム。
【請求項１５】
前記処理システムが更に、前記血管の３次元表現から前記解剖学的血管測定値の第１の組を取得するよう構成される、請求項１４に記載のシステム。
【請求項１６】
前記処理システムが圧力センシング装置と通信し、
前記処理システムが更に、 
前記圧力センシング装置から前記血管内の病変の近位における圧力を取得し、
前記血管の３次元表現から、第３の病変直径、前記病変に近位の第３の近位血管直径及び前記病変から遠位の第３の遠位血管直径を有する解剖学的血管測定値の第３の組を取得し、
前記第３の病変直径及び前記病変の近位における圧力の少なくとも一方を利用して第３のフロー値を計算するよう構成される、
請求項１４に記載のシステム。
【請求項１７】
前記処理システムが更に、前記第２のフロー値で前記第３のフロー値を除算することにより、前記血管の第２の冠血流予備量比を計算するよう構成される、請求項１６に記載のシステム。
【請求項１８】
前記処理システムが更に、前記血管の前記第１の冠血流予備量比及び前記血管の前記第２の冠血流予備量比を利用して、前記血管の合成冠血流予備量比を計算するよう構成される、請求項１７に記載のシステム。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
支持フレームと複数のフィルタ要素とを備える血管フィルタデバイス（１）であって、
前記フィルタ要素（４）は、前記支持フレーム（３）から、前記フィルタ要素が相互接続される頂点（５）を形成するフィルタ要素端に向って延び、
前記頂点は、前記血管フィルタデバイスの中心軸にまたはその近くに位置し、前記フィルタ要素は、接続されていない場合、前記血管フィルタデバイスが拘束されていないときに、前記フィルタ要素端が前記支持フレームと前記中心軸との間に位置するように付勢されることを特徴とする、血管フィルタデバイス（１）。
【請求項２】
前記支持フレーム（３）と前記フィルタ要素（４）とは、一体に形成される、請求項１に記載の血管フィルタデバイス。
【請求項３】
前記フィルタ要素の接続されていない位置は、前記フィルタ要素（４）の形状、および前記支持フレーム（３）から前記フィルタ要素が延びる角度により与えられ、前記接続されていない位置は、フィルタ要素端が前記中心軸から前記支持フレームまでの距離の約１０％乃至５０％に配置される、請求項１または２に記載の血管フィルタデバイス。
【請求項４】
前記血管フィルタデバイスは、示された血管サイズの範囲を有し、
ａ．前記デバイスが、前記示された範囲の上側の部分範囲にある血管内に拘束されるときに、前記フィルタ要素端が、前記中心軸と支持体の間にあり、
ｂ．前記デバイスが、前記示された範囲の中央の部分範囲内にある血管内に拘束されるときに、前記フィルタ要素端が、前記中心軸の近くにあり、
ｃ．前記デバイスが、前記示された範囲の下側の部分範囲内にある血管内に拘束されるときに、前記フィルタ要素端が、前記中心軸を通じて延びる
ように、前記フィルタ要素（４）は、接続されていない場合に複数の位置を有するように付勢される、請求項１乃至３のいずれかに記載の血管フィルタデバイス（１）。
【請求項５】
前記フィルタ要素は、前記フィルタ要素端が相互接続されるときに、状況（ａ）および（ｃ）で同様の最大の歪みを有する、請求項４に記載の血管フィルタ。
【請求項６】
前記フィルタ要素は、前記フィルタ要素端が相互接続されるときに、状況（ａ）および（ｃ）でほぼ等しい最大の引っ張り歪みを有する、請求項４に記載の血管フィルタ。
【請求項７】
前記支持フレームは、近位輪状部（２０４，２０６）、遠位輪状部（２１１，２１２）、および相互接続支柱（２１０）を備える、請求項１乃至６のいずれかに記載の血管フィルタデバイス。
【請求項８】
前記近位輪状部はピークを有すると共に、前記フィルタ要素は、前記近位輪状部（２０５，２０６）の遠位ピーク（２０６）でまたはそれに隣接して支持体に接続される、請求項７に記載の血管フィルタ。
【請求項９】
前記フィルタ要素端、前記フィルタ要素、および前記支持フレームは、一部品（２０１）から一体に形成される、請求項１乃至８のいずれかに記載の血管フィルタデバイス。
【請求項１０】
前記フィルタ要素端は、一体になった頂点（２０９）を与えるように一体に形成される、請求項１乃至９のいずれかに記載の血管フィルタデバイス。
【請求項１１】
前記フィルタ要素端は、ホルダ（６）により相互接続される、請求項１乃至９のいずれかに記載の血管フィルタデバイス。
【請求項１２】
少なくともいくつかのフィルタ要素はアイレットを有し、前記ホルダは前記アイレットを通じて向けられる、請求項１１に記載の血管フィルタデバイス。
【請求項１３】
前記フィルタ要素は、溝穴および隆起部などの相互ロック用の特徴またはダブテールの特徴（５１，５２）により相互接続される、請求項１乃至９のいずれかに記載の血管フィルタデバイス。
【請求項１４】
前記遠位輪状部はＶ形支柱のアレイまたはＭ形支柱のアレイを備え、前記支柱は直接相互接続されない、請求項７乃至１２のいずれかに記載の血管フィルタデバイス。
【請求項１５】
支持フレームおよびフィルタ要素を備える血管フィルタデバイスを製造する方法であって、
前記フィルタ要素は、フィルタ要素が相互接続される頂点を形成するフィルタ要素端に向って前記支持フレームから延び、前記頂点は、前記血管フィルタデバイスの中心軸にまたはその近くに位置し、前記フィルタ要素は、接続されていない場合、前記血管フィルタデバイスが拘束されていないときに、前記フィルタ要素端が前記支持フレームと前記中心軸との間に位置するように付勢される、血管フィルタデバイスを製造する方法において、
チュービングを用意するステップと、前記チュービングを切断するステップと、前記チュービングを拡張するステップとを含む、血管フィルタデバイスを製造する方法。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
本体を水平表面上に支持する基部を備えた前記本体と、回転軸の周りを回転可能に前記本体内に取り付けられた螺旋状錐部とを含み、前記螺旋状錐部の前記回転軸が前記基部に対して斜角で延在し、
果物又は野菜が前記螺旋状錐部に供給可能であるように果物又は野菜入口として機能する開口部が、前記本体の前記側壁内に形成され、前期開口部が形成された少なくとも側壁の部分が前記螺旋状錐部の前記回転軸に対して斜角で延在し、
前記本体は、更に、果物又は野菜を前記開口部に送る長尺状の通路を含み、前記長尺状の通路の長手方向の軸は前記螺旋状錐部の前記回転軸に対して斜角で延在する、
果汁又は野菜汁を果物又は野菜の果肉から分離するための石臼式分離器。
【請求項２】
前記螺旋状錐部は切断部及び圧搾部を含む、請求項１に記載の石臼式分離器。
【請求項３】
前記切断部の切れ刃は前記螺旋状錐部の前記回転軸に対して斜角で延在する、請求項２に記載の石臼式分離器。
【請求項４】
前記開口部は前記切断部に面する、請求項２に記載の石臼式分離器。
【請求項５】
前記基部は基部表面によって画定される、請求項１乃至４の何れか一項に記載の石臼式分離器。
【請求項６】
前記本体は、前記基部と、前記基部に取り付け可能なハウジングとを含む、請求項１に記載の石臼式分離器。
【請求項７】
前記ハウジングは互いに分離可能な第１及び第２部分を含む、請求項６に記載の石臼式分離器。
【請求項８】
第１部分は汁出口を有し、第２部分は第１部分と第２部分とが互いに取り付けられると汁出口に向かって延在するふるいを有する、請求項７に記載の石臼式分離器。
【請求項９】
請求項１乃至８の何れか一項に記載の石臼式分離器を含む、果肉から果汁又は野菜汁を抽出するためのジューサ。